(57)【要約】【課題】コスト高を抑制し、短絡事故を低減させることが可能な電力量計を提供する。【解決手段】電力量計１０は、出力端子３２〜３４に電気的に接続可能なように、かつ、入力端子２２〜２４に電気的に接続不可能なように入力端子２２〜２４を覆う板状の電源側カバー５２と、出力端子３２〜３４を少なくとも覆う板状の負荷側カバー７２と、を備える。電源側カバー５２は、電源側螺子１０２と接続して電源側螺子１０２に保持され、負荷側カバー７２は、負荷側螺子１０４と接続して負荷側螺子１０４に保持されている。そして、電源側カバー５２は、負荷側カバー７２と着脱自在に固定され、負荷側カバー７２の負荷側螺子１０４による保持状態が解除された後に、電源側カバー５２が負荷側カバー７２から脱離可能なように、負荷側カバー７２に形成されている。【選択図】図２
2007333446.tif 000002
【特許請求の範囲】
【請求項１】
複数の電源側電力線と個別に接続された複数の電源側端子が設けられた電源側端子部、及び、複数の負荷側電力線と個別に接続された複数の負荷側端子が設けられた負荷側端子部を含む略長方形状の接続部と、
前記電源側電力線から前記負荷側電力線に流れる電流に応じて電力を計測して積算し、積算して得た値を電力量として正面側に向けて表示する電力量計本体と、
前記接続部の正面側に間隔をおいて位置し、前記負荷側端子に電気的に接続可能なように、かつ、前記電源側端子に電気的に接続不可能なように前記電源側端子を覆う板状の電源側カバーと、
前記負荷側端子部の正面側に間隔をおいて位置し、前記負荷側端子を少なくとも覆う板状の負荷側カバーと、
前記電源側カバーと接続し、前記接続部の一端に着脱自在に固定され、前記電源側カバーを保持する電源側保持手段と、
前記負荷側カバーと接続し、前記接続部の他端に着脱自在に固定され、前記負荷側カバーを保持する負荷側保持手段と、を備え、
前記電源側カバーは、前記負荷側カバーと着脱自在に固定され、前記負荷側カバーの前記負荷側保持手段による保持状態が解除された後に、前記電源側カバーが前記負荷側カバーから脱離可能なように、前記負荷側カバーに形成されている電力量計。
【請求項２】
さらに、前記負荷側端子の上方を開閉可能に前記負荷側カバーと前記電源側カバーとを枢支する枢軸部を備えた請求項１記載の電力量計。
【請求項３】
前記電源側カバーは前記電源側端子の上方に嵌合開口部を含み、
前記負荷側カバーは、前記嵌合開口部と嵌合可能な嵌合部を前記負荷側カバーの一端に含む請求項１記載の電力量計。
【請求項４】
さらに、前記負荷側カバーが前記電源側カバーを摺動するように、前記電源側カバーと前記負荷側カバーとの間に設けられた第１の摺動機構を備えた請求項１記載の電力量計。
【請求項５】
前記接続部の正面側に間隔をおいて位置し、前記接続部に相対的移動不能に固定された板状の電源側カバー支持板と、
前記負荷側カバーが摺動する方向と同じ方向に前記電源側カバーが前記電源側カバー支持板を摺動するように、前記電源側カバー支持板と前記電源側カバーとの間に設けられた第２の摺動機構と、を備えた請求項４記載の電力量計。
【発明の詳細な説明】
【技術分野】
【０００１】
本発明は、電力量計の交換又は電力消費機器の修理等の作業の際に、短絡事故の発生を低減する電力量計に関する。
【背景技術】
【０００２】
図１８に示すように、電力会社の発電機のような電力供給源で発電された電力は、送電線、配電線、引込線６１０、電源側電力線６１２，６１３，６１４に導かれ、電力量計５１０を介して、さらに、負荷側電力線７１２，７１３，７１４に導かれ、一般家屋７１０、工場等の電力需要先の電力消費機器（負荷機器、端末）に供給される。すなわち、電力量計５１０は、電源側電力線６１２〜６１４と、負荷側電力線７１２〜７１４との間に接続されている。電力需要先に供給された電力量は、電力量計５１０によって計量される。
【０００３】
図１８から図２１までに示すように、電力量計５１０は、供給された電力を計測、積算し、積算して得た値を電力量として正面側に向けて表示する本体部１２と、電源側電力線６１２〜６１４と負荷側電力線７１２〜７１４との間に本体部１２が介在するようにそれら電力線を接続する接続端子台２０と、を備える。電力量計５１０は、接続端子台２０に不用意に触れないように接続端子台２０を接続端子台カバー５５０が覆っている。作業者は、この接続端子台カバー５５０を外すことにより、電源側電力線６１２〜６１４を本体部１２に電気的に接続する入力端子２２，２３，２４と、負荷側電力線７１２〜７１４を本体部１２に電気的に接続する出力端子３２，３３，３４と、を露出させることができる。
【０００４】
図２１に示すように、電源側電力線６１２〜６１４の先端には被膜が剥がれて金属の電源電力導電線６１２ａ，６１３ａ，６１４ａが延出している。負荷側電力線７１２〜７１４の先端も被膜が剥がれて同様に金属の負荷電力導電線７１２ａ，７１３ａ，７１４ａが延出している。電源電力導電線６１２ａ〜６１４ａは個別に入力端子２２〜２４に着脱可能に螺子２５，２６，２７でネジ止めされており、負荷電力導電線７１２ａ〜７１４ａは個別に出力端子３２〜３４に着脱可能に螺子３５，３６，３７でネジ止めされている。
【０００５】
ところで、作業者は、電力消費機器の修理のような作業を行う場合は、出力端子３２〜３４から負荷側電力線７１２〜７１４を外して停電させた状態で作業を行う。この出力端子３２〜３４から負荷側電力線７１２〜７１４を外して行う作業は、電力供給源に電気的に接続されたいわゆる活線状態で行われる。
【０００６】
したがって、出力端子３２〜３４から負荷側電力線７１２〜７１４を外して行う作業時に、ドライバのような工具が入力端子２２〜２４に接触して短絡事故を発生させる危険性がある。
【０００７】
そこで短絡事故を低減する電力量計として、特許文献１では、接続端子台の入力端子、及び、出力端子に、コネクタを着脱可能にして、このコネクタに電源側電力線や負荷側電力線を接続することにより、導電線同士が接触して短絡事故を起こすことなく、その電力量計の交換又は電力消費機器の修理作業などを安全に行い得るようにすることが可能な電力量計が提案されている。
【特許文献１】特開２００３−２４８０２０号公報
【発明の開示】
【発明が解決しようとする課題】
【０００８】
しかしながら、上記特許文献１に記載の電力量計にあっては、コネクタを着脱可能とするように、従来の電力量計よりも複雑な構造となっており、さらには、本来不要なコネクタを必要とするため、従来の電力量計よりも生産コストが高くなる。
【０００９】
また、上記特許文献１に記載の電力量計も、電力量計の交換又は電力消費機器の修理作業を行うために接続端子台カバーを取り外す必要がある。したがって、作業時には、少なからず入力端子及び出力端子が同時に露出してしまうため、短絡事故が発生する可能性が必然的に高くなる。また、作業者以外の一般人がいたずら又は不法に受電する等の目的で接続端子台カバーを外す場合があるが、この場合も入力端子及び出力端子が同時に露出するため、短絡事故を起こす危険性がある。
【００１０】
したがって、短絡事故を低減させて安全性を高めるために入力端子及び出力端子を同時に露出させない構造を採用し、かつ、コスト高を抑制するために簡易な構造を採用する電力量計が求められている。
【００１１】
本発明は、上述した課題に鑑みてなされたものであり、コスト高を抑制し、短絡事故を低減させことが可能な電力量計を提供することを目的とする。
【課題を解決するための手段】
【００１２】
（１）  複数の電源側電力線と個別に接続された複数の電源側端子が設けられた電源側端子部、及び、複数の負荷側電力線と個別に接続された複数の負荷側端子が設けられた負荷側端子部を含む略長方形状の接続部と、前記電源側電力線から前記負荷側電力線に流れる電流に応じて電力を計測して積算し、積算して得た値を電力量として正面側に向けて表示する電力量計本体と、前記接続部の正面側に間隔をおいて位置し、前記負荷側端子に電気的に接続可能なように、かつ、前記電源側端子に電気的に接続不可能なように前記電源側端子を覆う板状の電源側カバーと、前記負荷側端子部の正面側に間隔をおいて位置し、前記負荷側端子を少なくとも覆う板状の負荷側カバーと、前記電源側カバーと接続し、前記接続部の一端に着脱自在に固定され、前記電源側カバーを保持する電源側保持手段と、前記負荷側カバーと接続し、前記接続部の他端に着脱自在に固定され、前記負荷側カバーを保持する負荷側保持手段と、を備え、前記電源側カバーは、前記負荷側カバーと着脱自在に固定され、前記負荷側カバーの前記負荷側保持手段による保持状態が解除された後に、前記電源側カバーが前記負荷側カバーから脱離可能なように、前記負荷側カバーに形成されている電力量計。
【００１３】
（１）の発明に係る電力量計は、負荷側端子に電気的に接続可能なように、かつ、電源側端子に電気的に接続不可能なように電源側端子を覆う板状の電源側カバーと、負荷側端子を少なくとも覆う板状の負荷側カバーと、を備える。電源側カバーは、電源側保持手段と接続して電源側保持手段に保持され、負荷側カバーは、負荷側保持手段と接続して負荷側保持手段に保持されている。そして、電源側カバーは、負荷側カバーと着脱自在に固定され、負荷側カバーの負荷側保持手段による保持状態が解除された後に、電源側カバーが負荷側カバーから脱離可能なように、負荷側カバーに形成されている。
【００１４】
（１）の発明の特徴的部分である電源側カバー、負荷側カバー、電源側保持手段、及び、負荷側保持手段の各構成、及び、それらの構成の組合せは、電力量計としては簡易な構造であり、生産コストを抑制することが可能である。
【００１５】
また、（１）の発明によれば、負荷側カバーが負荷側保持手段による保持状態が解除される前に、電源側カバーは負荷側カバーから脱離されることがない。すなわち、（１）の発明によれば、入力端子及び出力端子が同時に露出しない構造を採用することにより短絡事故を低減させることが可能である。
【００１６】
（２）  さらに、前記負荷側端子の上方を開閉可能に前記負荷側カバーと前記電源側カバーとを枢支する枢軸部を備えた（１）記載の電力量計。
【００１７】
（２）の発明に係る電力量計は、負荷側端子の上方を開閉可能に負荷側カバーと電源側カバーとを枢支する枢軸部という、簡易な構造を採用している。また、作業者は、負荷側端子部を露出させて作業を行う場合、負荷側カバーのみを上方に開閉させることにより電源側端子部を露出させずに、すなわち、入力端子及び出力端子を同時に露出させずに作業を行うことができる。
【００１８】
以上より、（２）の発明に係る電力量計は、簡易な構造を採用しているので、生産コストを抑制することが可能であり、また、入力端子及び出力端子が同時に露出しない構造を採用することにより短絡事故を低減させることが可能である。さらに、（２）の発明に係る電力量計は、負荷側端子部を露出させる場合、作業者は、負荷側カバーを上方に開放させるだけで負荷側カバーを取り外す必要がないので、負荷側カバーの再取り付けによって作業効率の低下を起こさずに済む。
【００１９】
（３）  前記電源側カバーは前記電源側端子の上方に嵌合開口部を含み、
前記負荷側カバーは、前記嵌合開口部と嵌合可能な嵌合部を前記負荷側カバーの一端に含む（１）記載の電力量計。
【００２０】
（３）の発明によれば、電源側カバーは電源側端子の上方に嵌合開口部を含み、負荷側カバーは上記嵌合開口部と嵌合可能な嵌合部を負荷側カバーの一端に含む。したがって、（３）の発明に係る電力量計は、電源側カバーが電源側端子の上方に嵌合開口部を含み、負荷側カバーは上記嵌合開口部と嵌合可能な嵌合部を負荷側カバーの一端に含むという、簡易な構造を採用している。また。作業者は、負荷側カバーの嵌合部を嵌合開口部から脱離させ、負荷側カバーのみを脱離させることにより、電源側端子部が露出せずに、すなわち、入力端子及び出力端子を同時に露出させずに作業を行うことができる。
【００２１】
以上より、（３）の発明に係る電力量計は、簡易な構造を採用しているので、生産コストを抑制することが可能であり、また、入力端子及び出力端子が同時に露出しない構造を採用することにより短絡事故を低減させることが可能である。
【００２２】
（４）  さらに、前記負荷側カバーが前記電源側カバーを摺動するように、前記電源側カバーと前記負荷側カバーとの間に設けられた第１の摺動機構を備えた（１）記載の電力量計。
【００２３】
（４）の発明に係る電力量計は、負荷側カバーが電源側カバーを摺動するように、電源側カバーと負荷側カバーとの間に設けられた第１の摺動機構という、簡易な構造を採用している。また。作業者は、負荷側端子部を露出させて作業を行う場合、負荷側カバーのみを摺動させることにより、電源側端子部が露出せずに、すなわち、入力端子及び出力端子を同時に露出させずに作業を行うことができる。
【００２４】
以上より、（４）の発明に係る電力量計は、簡易な構造を採用しているので、生産コストを抑制することが可能であり、また、入力端子及び出力端子が同時に露出しない構造を採用することにより短絡事故を低減させることが可能である。
【００２５】
（５）  前記接続部の正面側に間隔をおいて位置し、前記接続部に相対的移動不能に固定された板状の電源側カバー支持板と、前記負荷側カバーが摺動する方向と同じ方向に前記電源側カバーが前記電源側カバー支持板を摺動するように、前記電源側カバー支持板と前記電源側カバーとの間に設けられた第２の摺動機構と、を備えた（４）記載の電力量計。
【００２６】
（５）の発明に係る電力量計は、負荷側カバーが摺動する方向と同じ方向に電源側カバーが電源側カバー支持板を摺動するように、電源側カバー支持板と電源側カバーとの間に設けられた第２の摺動機構を備える。したがって、負荷側カバーが摺動しなければ、電源側カバーが摺動しない。すなわち、入力端子及び出力端子が同時に露出しない構造を採用することにより短絡事故を低減させることが可能である。
【発明の効果】
【００２７】
本発明によれば、電力量計としては簡易な構造を採用しているため、生産コストを抑制することが可能であり、また、入力端子及び出力端子が同時に露出しない構造を採用するため短絡事故を低減させることが可能である。
【発明を実施するための最良の形態】
【００２８】
以下、本発明の実施形態の一例について、添付した図面を参照しながら、具体的に説明する。
【００２９】
［第１実施形態］
図１から図７を用いて本発明の第１実施形態に係る電力量計１０について説明する。図１は電力量計１０に後述する電源側電力線６１２〜６１４及び負荷側電力線７１２〜７１４が電気的に接続されていることを説明するための図である。図２は電力量計１０の正面図である。図３は電力量計１０の側面図である。図４は、後述する接続端子台カバー５０を取り除いた電力量計１０の分解正面図である。図５は図２のＡＡ線断面図である。図６は接続端子台カバー５０の背面図である。図７は後述する負荷側カバー７２を取り除いた電力量計１０の分解正面図である。なお、本実施形態以降の説明では、同じ部材の場合は同じ符号を付すとともに、既に説明した部材の説明は省略するものとする。
【００３０】
図１から図７までに示すように、電力量計１０は、本体部１２と、接続端子台２０と、後述する電源側カバー５２及び負荷側カバー７２を含む接続端子台カバー５０と、電源側カバー５２を保持する電源側螺子１０２と、負荷側カバー７２を保持する負荷側螺子１０４と、を備える。さらに、図２に示すように、電力量計１０は蝶番９０を備えるようにしてもよい。
【００３１】
図１に示すように、電力会社の発電機のような電力供給源で発電された電力は、送電線、配電線、引込線６１０、電源側電力線６１２，６１３，６１４に導かれ、電力量計１０を介して、さらに、負荷側電力線７１２，７１３，７１４に導かれ、一般家屋７１０、工場等の電力需要先の電力消費機器（負荷機器、端末）に供給される。電力量計１０は、電源側電力線６１２〜６１４と、負荷側電力線７１２〜７１４との間に接続されており、この電力量計１０によって、電力需要先に供給された電力量が計量される。
【００３２】
図４に示すように、電源側電力線６１２〜６１４は塩化ビニル、ポリエチレン等の材質で被膜されており、電源側電力線６１２〜６１４の先端には被膜が剥がれて金属の電源電力導電線６１２ａ，６１３ａ，６１４ａが延出している。負荷側電力線７１２〜７１４の先端も被膜が剥がれて同様に金属の負荷電力導電線７１２ａ，７１３ａ，７１４ａが延出している。
【００３３】
本体部１２は、供給された電力を計測、積算し、積算した値を電力量として正面側に向けて表示する積算表示手段を含む。具体的には、積算表示手段は、電源側電力線６１２〜６１４から負荷側電力線７１２〜７１４に流れる電流に応じて電力を計測して積算し、積算して得た値を電力量として正面側に向けて表示する。積算された電力量を表示する表示手段としては、例えば、数字が表示された複数の回転ドラムがある。本体部１２は、ハウジング本体１４内に蓋体１６が着脱自在に装着されているハウジング１８と、このハウジング１８内に設けられている上記積算表示手段と、を含む。本体部１２は、電力量計本体と同じ作用を有する。
【００３４】
接続端子台２０は、略長方形状をしており、電源側電力線６１２〜６１４と負荷側電力線７１２〜７１４、との間に本体部１２が介在するようにそれら電線を接続する。接続端子台２０は、電源側端子部２１及び負荷側端子部３１を含む。さらに、接続端子台２０は、電源側螺子１０２に螺嵌される電源側螺子孔４２と、負荷側螺子１０４に螺嵌される負荷側螺子孔４４と、を含む。接続端子台２０は、接続部と同じ作用を有する。
【００３５】
電源側端子部２１は、複数の電源側電力線６１２〜６１４と個別に接続された入力端子２２〜２４を含む。入力端子２２〜２４は複数の電源側端子と同じ作用を有する。電源側端子部２１は螺子２５，２６，２７を有する。電源電力導電線６１２ａ〜６１４ａは個別に入力端子２２〜２４に着脱可能に螺子２５〜２７でネジ止めされている。電源電力導電線６１２ａ〜６１４ａは、それぞれ、入力端子２２〜２４に電気的に接続されている。具体的には、電源電力導電線６１２ａと入力端子２２とが、電源電力導電線６１３ａと入力端子２３とが、電源電力導電線６１４ａと入力端子２４とが、電気的に接続されている。
【００３６】
負荷側端子部３１は、複数の負荷側電力線７１２〜７１４と個別に接続された出力端子３２〜３４を含む。出力端子３２〜３４は複数の負荷側端子と同じ作用を有する。負荷側端子部３１は螺子３５，３６，３７を有する。負荷電力導電線７１２ａ〜７１４ａは個別に出力端子３２〜３４と着脱可能に螺子３５，３６，３７でネジ止めされている。負荷電力導電線７１２ａ〜７１４ａは、それぞれ、出力端子３２〜３４に電気的に接続されている。具体的には、負荷電力導電線７１２ａと出力端子３２とが、負荷電力導電線７１３ａと出力端子３３とが、負荷電力導電線７１４ａと出力端子３４とが、電気的に接続されている。
【００３７】
接続端子台カバー５０は、板状の金属部材であり、作業者が接続端子台２０を不用意に触れないように接続端子台２０を覆っている。具体的には、接続端子台カバー５０は、接続端子台２０の正面側に間隔をおいて位置している。接続端子台カバー５０の一部は、本体部１２のハウジング本体１４内に挿設されている。接続端子台カバー５０は、電源側カバー５２と負荷側カバー７２とを含む。
【００３８】
電源側カバー５２は、接続端子台２０の正面側に間隔をおいて位置している。電源側カバー５２は、出力端子３２〜３４に電気的に接続可能なように、かつ、入力端子２２〜２４に電気的に接続不可能なように入力端子２２〜２４を覆う。電源側カバー５２は、作業孔５３が出力端子３２〜３４の正面側に形成された略矩形状の金属部材である。電源側カバー５２は、電源側カバー５２の一端５５に接続端子台２０に係合する係合部５６を有する。さらに、電源側カバー５２は、電源側カバー５２の他端５７に接続端子台２０に係合する係合部５８を有する。電源側カバー５２は、この係合部５６，５８によって、より強固に固定される。電源側カバー５２は、電源側カバー５２の一端５５の近傍に電源側カバー螺子孔５４を有する。
【００３９】
負荷側カバー７２は、略矩形状の部材であり。負荷側端子部３１の正面側に間隔をおいて位置し、出力端子３２〜３４を少なくとも覆う。負荷側カバー７２は、負荷側カバー螺子孔７４を負荷側カバー７２の他端５７の近傍に有する。
【００４０】
図５及び図６に示すように、接続端子台カバー５０の背面、すなわち、電源側カバー５２の背面５２ｂ及び負荷側カバー７２の背面７２ｂには、それぞれ、スポンジ状の部材、例えば、ウレタンフォームのような絶縁体６０，７６が形成されている。
【００４１】
電源側カバー５２及び負荷側カバー７２がそれぞれ入力端子２２〜２４及び出力端子３２〜３４の表面に被せられた場合、絶縁体６０，７６は、入力端子２２〜２４及び出力端子３２〜３４の表面に覆い被さるように、それぞれ入力端子２２〜２４及び出力端子３２〜３４の表面を押圧するので、絶縁体６０，７６は、外部の導電部が入力端子２２〜２４及び出力端子３２〜３４に電気的に接続することを防止する。
【００４２】
絶縁体６０は、電源側絶縁螺子孔６２を電源側カバー５２の一端５５の近傍に有する。絶縁体７６は、負荷側絶縁螺子孔７８を電源側カバー５２の他端５７の近傍に有する。
【００４３】
蝶番９０は、出力端子３２〜３４の上方を開閉可能に電源側カバー５２と負荷側カバー７２とを枢支する。具体的には、蝶番９０は、電源側カバー５２の表面５２ａに相対的移動不能に固定されている電源側板部９２と、負荷側カバー７２の表面７２ａに相対的移動不能に固定されている負荷側板部９４と、電源側板部９２と負荷側板部９４とが開閉可能に支持する軸９６と、を含む。すなわち、電源側カバー５２は、負荷側カバー７２と蝶番９０によって着脱自在に固定されている。蝶番９０は枢軸部と同じ作用を有する。
【００４４】
電源側螺子１０２は、電源側カバー５２の一端５５の近傍と接続し、接続端子台２０の電源側螺子孔４２に着脱自在に固定され、電源側カバー５２を保持する。具体的には、電源側螺子１０２は、電源側カバー５２の電源側カバー螺子孔５４、絶縁体６０の電源側絶縁螺子孔６２、さらには、電源側螺子孔４２に螺合されて、電源側カバー５２を保持する。電源側螺子１０２は電源側保持手段と同じ作用を有する。
【００４５】
負荷側螺子１０４は、電源側カバー５２の他端５７の近傍と接続し、接続端子台２０の負荷側螺子孔４４に着脱自在に固定され、負荷側カバー７２を保持する。具体的には、負荷側螺子１０４は、負荷側カバー７２の負荷側カバー螺子孔７４、絶縁体７６の負荷側絶縁螺子孔７８、さらには、接続端子台２０の負荷側螺子孔４４に螺合されて、負荷側カバー７２を保持する。負荷側螺子１０４は負荷側保持手段と同じ作用を有する。
【００４６】
以上示したことから、電源側カバー５２は、負荷側カバー７２の負荷側螺子１０４による保持状態が解除された後に、蝶番９０によって負荷側カバー７２が開閉自在な状態となる。すなわち、電源側カバー５２は、負荷側カバー７２の負荷側螺子１０４による保持状態が解除された後に、電源側カバー５２が負荷側カバー７２から脱離可能なように、負荷側カバー７２に形成されている。
【００４７】
＜端子台カバー取り外し作業＞
次に、図２、図４、図５、及び、図７を参照して、負荷側端子部３１を露出させて、出力端子３２〜３４から負荷側電力線７１２〜７１４を外す作業と、電源側端子部２１を露出させて、入力端子２２〜２４から電源側電力線６１２〜６１４を外す作業と、を以下説明する。
【００４８】
作業者が出力端子３２〜３４から負荷側電力線７１２〜７１４を外す作業は以下の通りである。すなわち、図５に示すように、作業者は、負荷側カバー螺子孔７４、絶縁体７６の負荷側絶縁螺子孔７８、及び、負荷側螺子孔４４に螺合されている負荷側螺子１０４を各螺子孔から取り外す。作業者は、負荷側螺子１０４による保持状態が解除され、出力端子３２〜３４の上方を開閉自在になった負荷側カバー７２を電源側カバー５２側に向けて回転移動させ、負荷側端子部３１を露出させる（図７参照）。
【００４９】
この結果、作業者は、作業孔５３を介して出力端子３２〜３４から負荷側電力線７１２〜７１４を外す作業を行うことが可能となる。
【００５０】
以上のように、電力量計１０を採用することにより、作業者が出力端子３２〜３４から負荷側電力線７１２〜７１４を外す作業を行う場合に、電源側端子部２１が覆われた状態で負荷側端子部３１のみを露出させることができるので、短絡事故を低減させることが可能である。また、電力量計１０は蝶番９０という簡易な構造を採用しているので、コストを抑制することが可能である。さらに、この電力量計１０は、負荷側端子部３１を露出させる場合、作業者は負荷側カバー７２を上方に開放させるだけで負荷側カバー７２を取り外す必要がないので、負荷側カバー７２の再取り付けによって作業効率の低下を起こさずに済む。
【００５１】
次に、作業者が入力端子２２〜２４から電源側電力線６１２〜６１４を外す作業は以下の通りである。すなわち、図５及び図７に示すように、作業者は、電源側カバー螺子孔５４、絶縁体６０の電源側絶縁螺子孔６２、及び、電源側螺子孔４２に螺合されている電源側螺子１０２を各螺子孔から取り外す。作業者は、電源側螺子１０２による保持状態が解除され接続端子台２０より取り外し可能になった電源側カバー５２、すなわち、接続端子台カバー５０を取り外すことにより、電源側端子部２１を露出させることができる（図４参照）。この結果、作業者は、入力端子２２〜２４から電源側電力線６１２〜６１４を外す作業を行うことが可能となる。
【００５２】
［第２実施形態］
図８から図１１を用いて本発明の第２実施形態に係る電力量計１１０について説明する。図８は電力量計１１０の部分正面図である。図８は、本体部１２のような電力量計１１０の構成の一部を省略している。図９は図８のＡＡ線断面図である。図１０は後述する接続端子台カバー１５０の背面図である。図１１は後述する負荷側カバー１７２を取り除いた電力量計１１０の分解正面図である。
【００５３】
図８から図１１に示すように、電力量計１１０は、電力量計１０の接続端子台カバー５０の替わりに、接続端子台カバー１５０を備えている。
【００５４】
接続端子台カバー１５０は、接続端子台カバー５０と略同じ構成を有するが、以下の構成において接続端子台カバー５０と異なる。接続端子台カバー１５０は電源側カバー１５２と負荷側カバー１７２とを含む。
【００５５】
電源側カバー１５２は、電源側カバー５２と略同じ構成を有するが、以下の構成において電源側カバー５２と異なる。電源側カバー１５２は、出力端子３２〜３４の正面側に作業孔１５３が形成された略矩形状の金属部材である。電源側カバー１５２は、入力端子２２〜２４の上方に嵌合開口部１６８を含む。この嵌合開口部１６８は、電源側カバー開口部１６４と電源開口部１６６とを有する。
【００５６】
負荷側カバー１７２は、負荷側カバー７２と略同じ構成を有するが、以下の点で負荷側カバー７２と異なる。負荷側カバー１７２は、接続端子台カバー１５０の負荷側螺子１０４から電源側螺子１０２の長手方向に延伸している板状の延伸部１７４を含む。負荷側カバー１７２は、負荷側カバー１７２の他端１７７に嵌合開口部１６８と嵌合可能な嵌合部１７８を含む。具体的には、負荷側カバー１７２は、上記長手方向に対して垂直方向に延伸部１７４の一端から延伸し、嵌合開口部１６８と嵌合する嵌合部１７８を含む。延伸部１７４の一端と嵌合部１７８の一端とは接続する。さらに、負荷側カバー１７２は、上記嵌合部１７８の他端と接続し、接続端子台カバー１５０の負荷側螺子１０４から電源側螺子１０２の長手方向に延伸する、板状の絶縁体延伸部１８０を含む。
【００５７】
また、図９及び図１０に示すように、接続端子台カバー１５０の背面、すなわち、電源側カバー１５２の背面１５２ｂ及び負荷側カバー１７２の背面１７２ｂには、それぞれスポンジのような絶縁体１６０，１７６が形成されている。なお、絶縁体１６０，１７６は絶縁体６０，７６と同じ構成を有する。
【００５８】
以上示したことから、電源側カバー１５２は、負荷側カバー１７２の負荷側螺子１０４による保持状態が解除された後に、電源側カバー１５２から負荷側カバー１７２を脱離させることが可能な状態となる。換言すれば、電源側カバー１５２は、負荷側カバー１７２の負荷側螺子１０４による保持状態が解除された後に、電源側カバー１５２が負荷側カバー１７２から脱離可能なように、負荷側カバー１７２に形成されている。
【００５９】
＜端子台カバー取り外し作業＞
次に、図８から図１１までを参照して、負荷側端子部３１を露出させて出力端子３２〜３４から負荷側電力線７１２〜７１４を外す作業と、電源側端子部２１を露出させて入力端子２２〜２４から電源側電力線６１２〜６１４を外す作業と、を以下説明する。
【００６０】
作業者が出力端子３２〜３４から負荷側電力線７１２〜７１４を外す作業は以下の通りである。すなわち、図９に示すように、作業者は、負荷側カバー螺子孔７４、絶縁体７６の負荷側絶縁螺子孔７８、及び、負荷側螺子孔４４に螺合されている負荷側螺子１０４を各螺子孔から取り外す。作業者は、負荷側螺子１０４による保持状態が解除され、嵌合開口部１６８から嵌合部１７８及び絶縁体延伸部１８０を引き抜く。そして、電源側カバー１５２から負荷側カバー１７２を脱離させることにより、負荷側端子部３１を露出させることができる（図１１参照）。
【００６１】
この結果、作業者は、作業孔１５３を介して出力端子３２〜３４から負荷側電力線７１２〜７１４を外す作業を行うことが可能となる。
【００６２】
以上のように、電力量計１１０を採用することにより、作業者が出力端子３２〜３４から負荷側電力線７１２〜７１４を外す作業を行う場合に、電源側端子部２１が覆われた状態で負荷側端子部３１のみを露出させることができるので、短絡事故を低減させることが可能である。また、電力量計１１０は、入力端子２２〜２４の上方に嵌合開口部１６８を含む電源側カバー１５２、及び、嵌合開口部１６８と嵌合可能な嵌合部１７８を負荷側カバー１７２の他端１７７に含む負荷側カバー１７２という、簡易な構造を採用しているので、コストを抑制することが可能である。
【００６３】
次に、作業者が入力端子２２〜２４から電源側電力線６１２〜６１４を外す作業は以下の通りである。すなわち、図９及び図１１に示すように、作業者は、電源側カバー螺子孔５４、絶縁体６０の電源側絶縁螺子孔６２、及び、電源側螺子孔４２に螺合されている電源側螺子１０２を各螺子孔から取り外す。作業者は、電源側螺子１０２による保持状態が解除され接続端子台２０より取り外し可能になった電源側カバー１５２、すなわち、接続端子台カバー１５０を取り外すことにより、電源側端子部２１を露出させることができる（図４参照）。この結果、作業者は、入力端子２２〜２４から電源側電力線６１２〜６１４を外す作業を行うことが可能となる。
【００６４】
［第３実施形態］
図１２から図１７を用いて本発明の第３実施形態に係る電力量計２１０について説明する。図１２は電力量計２１０の部分正面図である。図１３は図１２のＡＡ線断面図である。図１４は図１２のＢＢ線断面図である。図１５は図１２のＣＣ線断面図である。図１６は後述する負荷側カバー２７２を取り除いた電力量計２１０の分解正面図である。図１７は、後述する接続端子台カバー２５０を取り除いた電力量計２１０の分解正面図である。
【００６５】
図１２から図１７に示すように、電力量計２１０は、電力量計１０の接続端子台カバー５０の替わりに、接続端子台カバー２５０を備えている。さらに、電力量計２１０は、２つの摺動機構３１０，３１２，３５０，３５２と、電源側カバー支持板３３０と、を備える。
【００６６】
接続端子台カバー２５０は、接続端子台カバー５０と略同じ構成を有するが、以下の構成において接続端子台カバー５０と異なる。接続端子台カバー２５０は、電源側カバー２５２と負荷側カバー２７２とを含む。
【００６７】
電源側カバー２５２は、電源側カバー５２と略同じ構成を有するが、以下の構成において電源側カバー５２と異なる。電源側カバー２５２は、略矩形状の作業孔２５３が出力端子３２〜３４の正面側に形成された金属部材である。電源側カバー２５２は、略矩形状の基端部２５４と、この基端部２５４の両端から接続端子台２０の長手方向に延伸し、略並設に形成された一対の延伸部２５６，２５８と、を含む。図１４及び図１５に示すように、一方の延伸部２５６には一直線状に形成される一対の凸状部材２６１，２６２が設けられ、他方の延伸部２５８には一直線状に形成される一対の凸状部材２６４，２６６が設けられている。
【００６８】
負荷側カバー２７２は、負荷側端子部３１の正面側に間隔をおいて位置し、出力端子３２〜３４を少なくとも覆う。負荷側カバー２７２の四辺のうち、負荷側螺子１０４の近傍の一辺以外の辺は、電源側カバー２５２に接している。すなわち、負荷側カバー２７２は、基端部２５４及び一対の延伸部２５６，２５８と囲まれるように接している。負荷側カバー２７２は、負荷側カバー螺子孔７４を負荷側カバー７２の他端５７の近傍に有する。電源側カバー２５２に接している三辺のうち、一対の二辺には、一直線状に形成される一対の凹状部材２７４，２７５が形成されている。
【００６９】
図１３に示すように、接続端子台カバー２５０の背面、すなわち、電源側カバー２５２の背面２５２ｂ及び負荷側カバー２７２の背面２７２ｂには、それぞれ、スポンジのような絶縁体２６０，２７６が形成されている。なお、絶縁体２６０，２７６は、それぞれ、絶縁体６０，７６と同じ構成を有する。
【００７０】
電源側カバー支持板３３０は、接続端子台２０の正面側に間隔をおいて位置し、接続端子台２０に相対的移動不能に固定された板状の部材である。電源側カバー支持板３３０は、接続端子台２０の四辺のうち負荷側カバー螺子孔７４近傍の一辺を除いた三辺で電源側カバー２５２と接している。すなわち、電源側カバー支持板３３０は、接続端子台２０の長手方向に延伸し、略並設に形成された一対の延伸部３３２，３３４と、一方の延伸部３３２の一端と他方の延伸部３３４の一端とを架橋する架橋部３３６と、を含む。一方の延伸部３３２は、一直線状に形成される凹状部材３３８を有し、他方の延伸部３３４は、一直線状に形成される凹状部材３４０を有する。電源側カバー支持板３３０は、接続端子台２０に係合する係合部３４２を電源側カバー支持板３３０の一端３４１に有する。
【００７１】
摺動機構３１０及び摺動機構３１２は、負荷側カバー２７２が電源側カバー２５２を摺動するように、電源側カバー２５２と負荷側カバー２７２との間に設けられている。
【００７２】
具体的には、図１４及び図１５に示すように、摺動機構３１０は、凸状部材２６６と凹状部材２７４とで形成されている。摺動機構３１０は、凸状部材２６６が凹状部材２７４を、接続端子台２０の電源側螺子１０２から負荷側螺子１０４への長手方向に摺動するように設けられている。
【００７３】
また、摺動機構３１２は、凸状部材２６１と凹状部材２７５とで形成されている。摺動機構３１２は、凸状部材２６１材が凹状部材２７５を、接続端子台２０の電源側螺子１０２から負荷側螺子１０４への長手方向に摺動するように設けられている。
【００７４】
なお、摺動機構３１０及び摺動機構３１２は、第１の摺動機構と同じ作用を有する。
【００７５】
摺動機構３５０及び摺動機構３５２は、負荷側カバー２７２が摺動する方向と同じ方向に電源側カバー２５２が電源側カバー支持板３３０を摺動するように、電源側カバー支持板３３０と電源側カバー２５２との間に設けられている。
【００７６】
具体的には、図１４及び図１５に示すように、摺動機構３５０は、凸状部材２６４と凹状部材３４０とで形成されている。摺動機構３５０は、凸状部材２６４が凹状部材３４０を、接続端子台２０の電源側螺子１０２から負荷側螺子１０４の長手方向に摺動するように設けられている。
【００７７】
また、摺動機構３５２は、凸状部材２６２と凹状部材３３８とで形成されている。摺動機構３５２は、凸状部材２６２が凹状部材３３８を、接続端子台２０の電源側螺子１０２から負荷側螺子１０４の長手方向に摺動するように設けられている。
【００７８】
なお、摺動機構３５０及び摺動機構３５２は、第２の摺動機構と同じ作用を有する。
【００７９】
以上示したことから、電源側カバー２５２は、負荷側カバー２７２の負荷側螺子１０４による保持状態が解除された後に、摺動機構３１０，３１２によって負荷側カバー２７２が移動可能な状態となる。すなわち、電源側カバー２５２は、負荷側カバー２７２の負荷側螺子１０４による保持状態が解除された後に、電源側カバー２５２が負荷側カバー２７２から脱離可能なように、負荷側カバー２７２に形成されている。
【００８０】
＜端子台カバー取り外し作業＞
次に、図１２から図１７までを参照して、負荷側端子部３１を露出させて、出力端子３２〜３４から負荷側電力線７１２〜７１４を外す作業と、電源側端子部２１を露出させて、入力端子２２〜２４から電源側電力線６１２〜６１４を外す作業と、を以下説明する。
【００８１】
作業者が出力端子３２〜３４から負荷側電力線７１２〜７１４を外す作業は以下の通りである。すなわち、作業者は、負荷側カバー螺子孔７４、絶縁体７６の負荷側絶縁螺子孔７８、及び、負荷側螺子孔４４に螺合されている負荷側螺子１０４を各螺子孔から取り外す。その結果、負荷側カバー２７２は、負荷側螺子１０４による保持状態が解除される。したがって、負荷側カバー２７２は電源側螺子１０２から接続端子台２０の負荷側螺子１０４の長手方向に移動可能になる。作業者は、負荷側カバー２７２を上記長手方向に移動させて取り外し、負荷側端子部３１を露出させる（図１６参照）。
【００８２】
この結果、作業者は、作業孔２５３を介して出力端子３２〜３４から負荷側電力線７１２〜７１４を外す作業を行うことが可能となる。
【００８３】
以上のように、電力量計２１０を採用することにより、作業者が出力端子３２〜３４から負荷側電力線７１２〜７１４を外す作業を行う場合に、電源側端子部２１が覆われた状態で負荷側端子部３１のみを露出させることができるので、短絡事故を低減させることが可能である。また、電力量計１０は摺動機構３１０，３１２という簡易な構造を採用しているので、コストを抑制することが可能である。
【００８４】
次に、作業者が入力端子２２〜２４から電源側電力線６１２〜６１４を外す作業は以下の通りである。すなわち、作業者は、電源側カバー螺子孔５４、絶縁体６０の電源側絶縁螺子孔６２、及び、電源側螺子孔４２に螺合されている電源側螺子１０２を各螺子孔から取り外す。その結果、電源側カバー２５２は、電源側螺子１０２による保持状態が解除される。したがって、電源側カバー２５２は接続端子台２０の電源側螺子１０２から負荷側螺子１０４の長手方向に移動可能になる。作業者は、電源側カバー２５２を上記長手方向に移動させて取り外し、電源側端子部２１を露出させる（図１５参照）。
【００８５】
この結果、作業者は、入力端子２２〜２４から電源側電力線６１２〜６１４を外す作業を行うことが可能となる。
【００８６】
なお、本実施形態に採用した摺動機構３１０，３１２，３５０，３５２に限らず、それ以外の摺動機構を採用してもよい。
【図面の簡単な説明】
【００８７】
【図１】本発明の第１実施形態に係る電力量計１０に電源側電力線６１２〜６１４及び負荷側電力線７１２〜７１４が電気的に接続されていることを説明するための図である。
【図２】電力量計１０の正面図である。
【図３】電力量計１０の側面図である。
【図４】接続端子台カバー５０を取り除いた電力量計１０の分解正面図である。
【図５】図２のＡＡ線断面図である。
【図６】接続端子台カバー５０の背面図である。
【図７】負荷側カバー７２を取り除いた電力量計１０の分解正面図である。
【図８】本発明の第２実施形態に係る電力量計１１０の部分正面図である。
【図９】図８のＡＡ線断面図である。
【図１０】接続端子台カバー１５０の背面図である。
【図１１】負荷側カバー１７２を取り除いた電力量計１１０の分解正面図である。
【図１２】本発明の第３実施形態に係る電力量計２１０の部分正面図である。
【図１３】図１２のＡＡ線断面図である。
【図１４】図１２のＢＢ線断面図である。
【図１５】図１２のＣＣ線断面図である。
【図１６】負荷側カバー２７２を取り除いた電力量計２１０の分解正面図である。
【図１７】接続端子台カバー２５０を取り除いた電力量計２１０の分解正面図である。
【図１８】従来の電力量計５１０に電源側電力線６１２〜６１４及び負荷側電力線７１２〜７１４が電気的に接続されていることを説明するための図である。
【図１９】従来の電力量計５１０の正面図である。
【図２０】従来の電力量計５１０の側面図である。
【図２１】従来の電力量計５１０の接続端子台カバー５５０を取り外した分解正面図である。
【符号の説明】
【００８８】
１０，１１０，２１０  電力量計
１２  本体部
１４  ハウジング本体
１６  蓋体
１８  ハウジング
２０  接続端子台
２１  電源側端子部
２２〜２４  入力端子
２５〜２７，３５〜３７  螺子
３１  負荷側端子部
３２〜３４  出力端子
４２  電源側螺子孔
４４  負荷側螺子孔
５０，１５０，２５０  接続端子台カバー
５２，１５２，２５２  電源側カバー
５３，１５３，２５３  作業孔
５４  電源側カバー螺子孔
５６，５８  係合部
６２  電源側絶縁螺子孔
７２，１７２，２７２  負荷側カバー
７４  負荷側カバー螺子孔
７６  絶縁体
７８  負荷側絶縁螺子孔
９０  蝶番
９２  電源側板部
９４  負荷側板部
９６  軸
１０２  電源側螺子
１０４  負荷側螺子
１６８  嵌合開口部
１７２  負荷側カバー
１７８  嵌合部
２６１，２６２，２６４，２６６  凸状部材
２７４，２７５，３３８，３４０  凹状部材
３１０，３１２  摺動機構
３３０  電源側カバー支持板
３５０，３５２  摺動機構
【図１】
2007333446.tif 000003
【図２】
2007333446.tif 000004
【図３】
2007333446.tif 000005
【図４】
2007333446.tif 000006
【図５】
2007333446.tif 000007
【図６】
2007333446.tif 000008
【図７】
2007333446.tif 000009
【図８】
2007333446.tif 000010
【図９】
2007333446.tif 000011
【図１０】
2007333446.tif 000012
【図１１】
2007333446.tif 000013
【図１２】
2007333446.tif 000014
【図１３】
2007333446.tif 000015
【図１４】
2007333446.tif 000016
【図１５】
2007333446.tif 000017
【図１６】
2007333446.tif 000018
【図１７】
2007333446.tif 000019
【図１８】
2007333446.tif 000020
【図１９】
2007333446.tif 000021
【図２０】
2007333446.tif 000022
【図２１】
2007333446.tif 000023